(57)【要約】【課題】チャネル推定用チャネルとデータ復調用チャネルとの振幅比がそれぞれ異なる信号が同時に処理される状況であっても、最大比合成による効率的なレイク合成を行うことで高い通信品質を実現可能とする。【解決手段】フィンガ４−１〜４−ｎのそれぞれで得られた信号のうちの第１および第２基地局からの信号を合成器５２−１，５２−２のそれぞれへ与えて合成し、基地局毎の信号を得る。これらの信号を、増幅器５３−１，５３−２にて個別に増幅したのちに合成器５４にて合成する。またＤＰＣ測定部５６−１，５６−２で、チャネル推定用チャネルとデータ復調用チャネルとの受信振幅比を第１および第２基地局のそれぞれについて測定する。利得制御部５７−１，５７−２が、第１および第２基地局の信号を増幅する際のそれぞれの利得を、第１および第２の基地局に関する受信振幅比に応じて設定する。【選択図】    図１
2004247960.tif 000002
【特許請求の範囲】
【請求項１】
基地局との間でスペクトラム拡散方式で無線通信を行う移動通信端末に用いられるもので、それぞれ任意のパスタイミングで到来する信号の逆拡散を行う複数の逆拡散手段のそれぞれで逆拡散された後の信号をレイク合成するレイク合成器において、
前記複数の逆拡散手段のうちで同一の基地局から送信された信号の逆拡散を行っている逆拡散手段から出力される信号の合成をそれぞれ行う第１合成手段と、
この複数の第１合成手段のそれぞれに対応し、その対応する第１合成手段が合成している信号の送信元の基地局に関してその基地局から送信されているチャネル推定用チャネルとデータ復調用チャネルとの受信振幅比をそれぞれ測定する複数の測定手段と、
前記複数の第１合成手段のそれぞれに対応し、その対応する第１合成手段により合成された後の信号をそれぞれ増幅する複数の増幅手段と、
この複数の増幅手段のそれぞれで増幅された後の信号を合成する第２合成手段と、
前記複数の増幅手段の利得を、各増幅手段が対応する第１合成手段に対応した前記測定手段により測定された受信振幅比に応じた利得に設定する設定手段とを具備したことを特徴とするレイク合成器。
【請求項２】
前記設定手段は、予め定められた標準利得に前記測定手段により測定された受信振幅比を乗じて求まる数値を倍率とする利得を設定することを特徴とする請求項１に記載のレイク合成器。
【請求項３】
前記複数の第１合成手段のそれぞれで合成された後の信号のそれぞれの振幅の最大値およびその最大の振幅を持つ信号がいずれであるかを判定する判定手段を備え、
かつ前記設定手段は、最大の振幅を持つと前記判定手段により判定された信号を出力する第１合成手段に対応する増幅手段の利得を前記判定手段により判定された最大値に応じた利得に設定し、かつそれ以外の増幅手段の利得を前記判定手段により判定された最大値、最大の振幅を持つと前記判定手段により判定された信号を出力する第１合成手段に対応する前記測定手段により測定された受信振幅比および各増幅手段が対応する第１合成手段に対応した前記測定手段により測定された受信振幅比に応じた利得に設定することを特徴とする請求項１に記載のレイク合成器。
【請求項４】
前記設定手段は、最大の振幅を持つと前記判定手段により判定された信号を出力する第１合成手段に対応する増幅手段の利得を所定の目標振幅と前記最大値との比を倍率とする利得に設定し、かつそれ以外の増幅手段の利得を前記目標振幅と前記最大値との比に最大の振幅を持つと前記判定手段により判定された信号を出力する第１合成手段に対応する前記測定手段により測定された受信振幅比および各増幅手段が対応する第１合成手段に対応した前記測定手段により測定された受信振幅比をそれぞれ乗じて求まる数値を倍率とする利得に設定することを特徴とする請求項３に記載のレイク合成器。
【請求項５】
前記複数の第１合成手段のそれぞれで合成された後の信号の間の平均振幅値を算出する算出手段を備え、
かつ前記設定手段は、前記前記算出手段により算出された平均振幅値と各増幅手段が対応する第１合成手段に対応した前記測定手段により測定された受信振幅比とに応じた利得に設定することを特徴とする請求項１に記載のレイク合成器。
【請求項６】
前記設定手段は、所定の目標振幅と前記平均振幅値との比に各増幅手段が対応する第１合成手段に対応した前記測定手段により測定された受信振幅比をそれぞれ乗じて求まる数値を倍率とする利得に設定することを特徴とする請求項５に記載のレイク合成器。
【請求項７】
基地局との間でスペクトラム拡散方式で無線通信を行う移動通信端末において、
それぞれ任意のパスタイミングで到来する信号の逆拡散を行う複数の逆拡散手段と、
この複数の逆拡散手段のうちで同一の基地局から送信された信号の逆拡散を行っている逆拡散手段から出力される信号の合成をそれぞれ行う第１合成手段と、
この複数の第１合成手段のそれぞれに対応し、その対応する第１合成手段が合成している信号の送信元の基地局に関してその基地局から送信されているチャネル推定用チャネルとデータ復調用チャネルとの受信振幅比をそれぞれ測定する複数の測定手段と、
前記複数の第１合成手段のそれぞれに対応し、その対応する第１合成手段により合成された後の信号をそれぞれ増幅する複数の増幅手段と、
この複数の増幅手段のそれぞれで増幅された後の信号を合成する第２合成手段と、
前記複数の増幅手段の利得を、各増幅手段が対応する第１合成手段に対応した前記測定手段により測定された受信振幅比に応じた利得に設定する設定手段とを具備したことを特徴とする移動通信端末。
【請求項８】
前記複数の第１合成手段のそれぞれで合成された後の信号のそれぞれの振幅の最大値およびその最大の振幅を持つ信号がいずれであるかを判定する判定手段を備え、
かつ前記設定手段は、最大の振幅を持つと前記判定手段により判定された信号を出力する第１合成手段に対応する増幅手段の利得を前記判定手段により判定された最大値に応じた利得に設定し、かつそれ以外の増幅手段の利得を前記判定手段により判定された最大値、最大の振幅を持つと前記判定手段により判定された信号を出力する第１合成手段に対応する前記測定手段により測定された受信振幅比および各増幅手段が対応する第１合成手段に対応した前記測定手段により測定された受信振幅比に応じた利得に設定することを特徴とする請求項１に記載の移動通信端末。
【請求項９】
前記複数の第１合成手段のそれぞれで合成された後の信号の間の平均振幅値を算出する算出手段を備え、
かつ前記設定手段は、前記前記算出手段により算出された平均振幅値と各増幅手段が対応する第１合成手段に対応した前記測定手段により測定された受信振幅比とに応じた利得に設定することを特徴とする請求項１に記載の移動通信端末。
【発明の詳細な説明】
【０００１】
【発明の属する技術分野】
本発明は、基地局との間でスペクトラム拡散方式で無線通信を行う移動通信端末に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ）方式の移動通信システムにおいて耐フェージング特性を向上させるための技術として、パスダイバーシチが知られている。通常、このパスダイバーシチは、レイク（ＲＡＫＥ）合成方式と呼ばれている（例えば非特許文献１を参照）。
【０００３】
このレイク合成方式は、基地局から送信されてそれぞれ異なるタイミングで到来する複数の遅延波のそれぞれをフィンガにより逆拡散して得られた信号を、各遅延波の遅延分を吸収した上で合成するものである。
【０００４】
【非特許文献１】
羽鳥光俊・小林岳彦監修，「移動通信基礎技術ハンドブック」，丸善株式会社，平成１４年３月２５日，Ｐ．２６４−２６５，４７０，４８１−４８２
【０００５】
【発明が解決しようとする課題】
ところで、Ｗ−ＣＤＭＡ（Ｗｉｄｅ  ｂａｎｄ−Ｃｏｄｅ  Ｄｉｖｉｓｉｏｎ  Ｍｕｌｔｉｐｌｅ  Ａｃｃｅｓｓ）方式の場合、基地局から送信される下り信号にはチャネル推定用チャネルであるＣＰＩＣＨ（Ｃｏｍｍｏｎ  Ｐｉｌｏｔ  Ｃｈａｎｎｅｌ）と、データ復調用チャネルであるＤＰＣＨ（Ｄｅｄｉｃａｔｅｄ  Ｐｈｙｓｉｃａｌ  Ｃｈａｎｎｅｌ）とが含まれている。そしてフィンガは、ＣＰＩＣＨに対応したチャネル推定用相関器と、ＤＰＣＨに対応したデータ復調用相関器とを備え、チャネル推定用相関器からの共役複素データをデータ復調用相関器の出力に複素乗算することにより受信信号を検波する構成を採る。
【０００６】
各フィンガが同一の基地局から送信される受信信号の検波を行っているならば、各フィンガが処理する信号のＣＰＩＣＨ振幅レベルとＤＰＣＨ振幅レベルとの比が一定である。従って、各フィンガで得られる信号をレイク合成しても最大比合成となり、通信品質を効率的に向上することが可能となる。
【０００７】
ソフトハンドオーバ状態などのように複数の基地局から送信される信号をそれぞれ受信する状態においては、各フィンガが処理する信号のＣＰＩＣＨ振幅レベルとＤＰＣＨ振幅レベルとの比が異なる。このため、各フィンガで得られる信号をレイク合成すると最大比合成とはならなく、最大比合成が行われる場合に比べて通信品質向上の効率が低下してしまう。
【０００８】
本発明はこのような事情を考慮してなされたものであり、その目的とするところは、チャネル推定用チャネルとデータ復調用チャネルとの振幅比がそれぞれ異なる信号が同時に処理される状況であっても、最大比合成による効率的なレイク合成を行うことで高い通信品質を実現可能なレイク合成器および移動通信端末を提供することにある。
【０００９】
【課題を解決するための手段】
以上の目的を達成するために第１の本発明は、複数の逆拡散手段のうちで同一の基地局から送信された信号の逆拡散を行っている逆拡散手段から出力される信号の合成をそれぞれ行う第１合成手段と、この複数の第１合成手段のそれぞれに対応し、その対応する第１合成手段が合成している信号の送信元の基地局に関してその基地局から送信されているチャネル推定用チャネルとデータ復調用チャネルとの受信振幅比をそれぞれ測定する複数の測定手段と、前記複数の第１合成手段のそれぞれに対応し、その対応する第１合成手段により合成された後の信号をそれぞれ増幅する複数の増幅手段と、この複数の増幅手段のそれぞれで増幅された後の信号を合成する第２合成手段と、前記複数の増幅手段の利得を、各増幅手段が対応する第１合成手段に対応した前記測定手段により測定された受信振幅比に応じた利得に設定する設定手段とを備えた。
【００１０】
このような手段を講じたことにより、複数の逆拡散手段により得られた同一の基地局からの信号が第１合成手段によりそれぞれ合成され、基地局毎の信号が得られる。これらの信号は、増幅手段により個別に増幅されたのちに、第２合成手段により合成される。また測定手段では、チャネル推定用チャネルとデータ復調用チャネルとの受信振幅比が基地局毎に測定される。そして各信号を増幅する際の利得が、その信号を送信する基地局に関する受信振幅比に応じて設定手段により設定される。従って、異なる基地局からの信号は、それぞれの受信振幅比に基づく利得により個々に増幅されることで受信振幅比が調整された上で合成されることとなる。
【００１１】
前記目的を達成するために第２の本発明は、前記第１の発明に加えて、前記複数の第１合成手段のそれぞれで合成された後の信号のそれぞれの振幅の最大値およびその最大の振幅を持つ信号がいずれであるかを判定する判定手段を備え、かつ前記設定手段は、最大の振幅を持つと前記判定手段により判定された信号を出力する第１合成手段に対応する増幅手段の利得を前記判定手段により判定された最大値に応じた利得に設定し、かつそれ以外の増幅手段の利得を前記判定手段により判定された最大値、最大の振幅を持つと前記判定手段により判定された信号を出力する第１合成手段に対応する前記測定手段により測定された受信振幅比および各増幅手段が対応する第１合成手段に対応した前記測定手段により測定された受信振幅比に応じた利得に設定することとした。
【００１２】
このような手段を講じたことにより、基地局毎の信号のそれぞれの振幅の最大値およびその最大の振幅を持つ信号が判定され、その最大の振幅を持つ信号を増幅する増幅手段の利得は上記最大値に応じた利得に設定され、かつそれ以外の増幅手段の利得は上記最大値、最大の振幅を持つ信号を送信した基地局に関する受信振幅比および各増幅手段が増幅する信号を送信した基地局に関する受信振幅比に応じた利得に設定される。従って、最大の振幅を持つ信号に対する利得が最大の振幅を考慮して基準的な利得として定められ、それ以外の信号に対する利得は上記の基準的な利得に対して受信振幅比を考慮して相対的に定められることとなる。
【００１３】
前記目的を達成するために第３の本発明は、前記第１の発明に加えて、前記複数の第１合成手段のそれぞれで合成された後の信号の間の平均振幅値を算出する算出手段を備え、かつ前記設定手段は、前記前記算出手段により算出された平均振幅値と各増幅手段が対応する第１合成手段に対応した前記測定手段により測定された受信振幅比とに応じた利得に設定することとした。
【００１４】
このような手段を講じたことにより、基地局毎の信号を増幅するための各利得は、基地局毎の信号の間の平均振幅値と、各基地局に関する受信振幅比とを考慮して設定される。従って、平均振幅値から定まる基準的な利得を各基地局に関する受信振幅比で補正した利得が定められることとなる。
【００１５】
【発明の実施の形態】
以下、図面を参照して本発明の実施形態につき説明する。なおここでは、Ｗ−ＣＤＭＡ方式を対象とする。
【００１６】
（第１の実施形態）
図１は本発明の第１実施形態に係る移動通信端末のブロック図である。
【００１７】
この図１に示すように第１実施形態の移動通信端末は、アンテナ１、デュプレクサ（ＤＵＰ）２、アナログ復調部３、フィンガ４−１〜４−ｎおよびレイク合成器５を含む。レイク合成器５はさらに、セレクタ５１、合成器５２−１，５２−２、増幅器５３−１，５３−２、合成器５４、セレクタ５５、ＤＰＣ測定部５６−１，５６−２および利得制御部５７−１，５７−２を含む。
【００１８】
図示しない基地局から送信された信号をアンテナ１により受信して得られた受信信号は、デュプレクサ２を介してアナログ復調部３に入力される。受信信号は、アナログ復調部３において周波数変換およびアナログ復調がなされたのち、ディジタルな受信データに変換される。受信データは、フィンガ４−１〜４−ｎのそれぞれへと入力される。
【００１９】
フィンガ４−１〜４−ｎへは、図示しない制御部からそれぞれ異なるパスに関する拡散コードおよびパスタイミングが指定されている。フィンガ４−１〜４−ｎはそれぞれ指定されている拡散コードを指定されているパスタイミングに応じたタイミングで用いて上記受信データの逆拡散を行う。これによりフィンガ４−１〜４−ｎではそれぞれ異なるパスで到来する信号がそれぞれ抽出される。このとき、異なる基地局の拡散コードが混在して指定されているならば、複数の基地局からそれぞれ送信された信号が異なるフィンガでそれぞれ抽出されることになる。この抽出された信号は、それぞれレイク合成器５へと与えられる。第１実施形態では、フィンガ４−１〜４−ｎには２つの基地局に関する拡散コードが混在して指定される可能性がある。すなわちこの移動通信端末は、２つの基地局と同時にリンクを張ることがあり得る。
【００２０】
具体的には、フィンガ４−１〜４−ｎは図２に示すようにそれぞれ、チャネル推定用相関器４１、共役部（ｃｏｎｊ）４２、データ復調用相関器４３および乗算器４４を有する周知の構成をなす。そしてフィンガ４−１〜４−ｎはそれぞれ、チャネル推定用相関器４１の出力を共役部４２により処理して得られた共役複素データを、データ復調用相関器４３の出力に対して乗算器４４にて複素乗算することにより受信信号を検波し、所要の信号を抽出する。
【００２１】
フィンガ４−１〜４−ｎのそれぞれの乗算器４４から出力される信号は、いずれもセレクタ５１に与えられる。セレクタ５１は、上記制御部からの指示に応じて、フィンガ４−１〜４−ｎから出力される信号を合成器５２−１，５２−２へと適宜与える。合成器５２−１，５２−２は、セレクタ５１から与えられる信号をレイク合成する。合成器５２−１，５２−２は、レイク合成後の信号を増幅器５３−１，５３−２へとそれぞれ与える。増幅器５３−１，５３−２は、合成器５２−１，５２−２から与えられる信号を、利得制御部５７−１，５７−２からそれぞれ指定される利得で増幅した上で、その増幅後の信号をそれぞれ合成器５４へと与える。合成器５４は、増幅器５３−１，５３−２からそれぞれ与えられる信号をレイク合成する。
【００２２】
一方、図２に示すように、フィンガ４−１〜４−ｎのそれぞれのチャネル推定用相関器４１から出力される信号およびデータ復調用相関器４３から出力される信号が、いずれもセレクタ５５に与えられる。セレクタ５５は、上記制御部からの指示に応じて、上記の与えられる各信号を同一のフィンガ４−１〜４−ｎから出力される２信号を対としてＤＰＣ測定部５６−１，５６−２へと適宜与える。ＤＰＣ測定部５６−１，５６−２は、セレクタ５５を介して与えられる信号のうちチャネル推定用相関器４１から出力された信号に基づいてＣＰＩＣＨ振幅レベルを、またデータ復調用相関器４３から出力された信号に基づいてＤＰＣＨ振幅レベルをそれぞれ求め、さらにそれらＣＰＩＣＨ振幅レベルとＤＰＣＨ振幅レベルとの比（以下、ＤＰＣと称する）を求める。ＤＰＣ測定部５６−１，５６−２は、求めたＤＰＣを利得制御部５７−１，５７−２へとそれぞれ与える。利得制御部５７−１，５７−２は、ＤＰＣ測定部５６−１，５６−２から与えられたＤＰＣに基づいて、増幅器５３−１，５３−２の利得をそれぞれ決定する。
【００２３】
なお、図示しない送信系で得られた送信信号は、デュプレクサ２を介してアンテナ１へと供給され、アンテナ１から無線送信される。
【００２４】
次に以上のように構成された移動通信端末の動作につき説明する。なお、データの送受信に関する基本的な動作は従来よりある移動通信端末と同様であるので、その説明は省略する。そしてここでは、レイク合成のための動作につき詳しく説明する。
【００２５】
この移動通信端末は前述のように同時に２つの基地局とリンクを張ることが可能である。そしてフィンガ４−１〜４−ｎには、これらの２つまでの基地局に関するパスのうちのｎ個までが適宜割り当てられ、そのパスで到来する信号が抽出される。このときセレクタ５１は、上記の２つの基地局のうちの第１基地局に関するパスが割り当てられたフィンガから出力される信号を合成器５２−１へと与え、第２基地局に関するパスが割り当てられたフィンガから出力される信号を合成器５２−２へと与える。かくして、合成器５２−１，５２−２では、基地局毎にレイク合成が行われることとなる。合成器５２−１，５２−２でそれぞれレイク合成される信号は、同一の基地局から送信されたものどうしであるため、各信号のＤＰＣは一定であり、合成器５２−１，５２−２でのレイク合成は最大比合成となる。
【００２６】
ところでセレクタ５５は、セレクタ５１と同期し、第１基地局に関するパスが割り当てられたフィンガのチャネル推定用相関器４１およびデータ復調用相関器４３からそれぞれ出力された信号をＤＰＣ測定部５６−１へと与え、第２基地局に関するパスが割り当てられたフィンガのチャネル推定用相関器４１およびデータ復調用相関器４３からそれぞれ出力された信号をＤＰＣ測定部５６−２へと与える。かくして、ＤＰＣ測定部５６−１では第１基地局に関するＤＰＣ（以下、第１ＤＰＣと称する）が求められ、またＤＰＣ測定部５６−２では第２基地局に関するＤＰＣ（以下、第２ＤＰＣと称する）が求められることとなる。そして利得制御部５７−１は、予め定められた基準係数に上記第１ＤＰＣを乗じて求まる値を増幅器５３−１で利用する乗算係数（以下、第１乗算係数と称する）として定める。また利得制御部５７−２は、上記基準係数に上記第２ＤＰＣを乗じて求まる値を増幅器５３−２で利用する乗算係数（以下、第２乗算係数と称する）として定める。利得制御部５７−１，５７−２は、上記の第１乗算係数および第２乗算係数を増幅器５３−１，５３−２にそれぞれ設定する。
【００２７】
増幅器５３−１，５３−２は、合成器５２−１，５２−２から出力される信号を、各信号に上記第１乗算係数および第２乗算係数をそれぞれ乗算することで増幅する。かくして、レイク合成された第１基地局の信号は第１ＤＰＣに基づく第１乗算係数により増幅される。またレイク合成された第２基地局の信号は第２ＤＰＣに基づく第２乗算係数により増幅される。この結果、増幅器５３−１，５３−２により増幅された後の各信号は、例えば図３（ａ）に示すように互いにＤＰＣが異なっていたものが、図３（ｂ）に示すように互いに同一のＤＰＣを持つような信号とされる。そして合成器５４では、増幅器５３−１，５３−２により増幅された後の各信号がレイク合成される。ここでレイク合成される各信号は上述のようにＤＰＣが同一となっているから、合成器５４でのレイク合成は最大比合成となる。
【００２８】
このように第１実施形態によれば、異なる第１基地局および第２基地局のそれぞれに関する信号を最大比合成となるようにレイク合成することとなり、ダイバーシチ利得を効率的に稼ぐことができる。そしてこの結果、通信品質を効率的に向上することが可能である。
【００２９】
（第２の実施形態）
図４は本発明の第２実施形態に係る移動通信端末のブロック図である。なお、図１と同一部分には同一符号を付し、その詳細な説明は省略する。
【００３０】
この図４に示すように第２実施形態の移動通信端末は、アンテナ１、デュプレクサ（ＤＵＰ）２、アナログ復調部３、フィンガ４−１〜４−ｎおよびレイク合成器６を含む。レイク合成器６はさらに、セレクタ５１、合成器５２−１，５２−２、増幅器５３−１，５３−２、合成器５４、セレクタ５５、ＤＰＣ測定部５６−１，５６−２、最大値判定部６１および利得制御部６２−１，６２−２を含む。
【００３１】
すなわち第２実施形態の移動通信端末は、第１実施形態の移動通信端末におけるレイク合成器５に代えてレイク合成器６を設けたものである。レイク合成器６は、レイク合成器５における利得制御部５７−１，５７−２に代えて利得制御部６２−１，６２−２を設けるとともに、さらに加えて最大値判定部６１を設けたものである。
【００３２】
最大値判定部６１へは、増幅器５３−１，５３−２から出力される信号がそれぞれ与えられる。最大値判定部６１は、与えられる２つの信号のそれぞれの振幅を監視し、振幅最大値を判定する。また最大値判定部６１は、振幅最大値が現れる信号が２つの信号のいずれであるかを判定する。そして最大値判定部６１は、これらの判定結果を利得制御部６２−１，６２−２へとそれぞれ通知する。
【００３３】
利得制御部６２−１，６２−２は、ＤＰＣ測定部５６−１，５６−２から与えられたＤＰＣに加えて最大値判定部６１での判定結果も考慮して、増幅器５３−１，５３−２の利得をそれぞれ決定する。
【００３４】
次に以上のように構成された移動通信端末の動作につき説明する。なお、第２実施形態の移動通信端末の基本的な動作は第１実施形態の移動通信端末と同様であるので、第１実施形態の移動通信端末の動作との相違点を中心として説明する。
【００３５】
最大値判定部６１では、増幅器５３−１から出力される第１基地局に関する信号と増幅器５３−２から出力される第２基地局に関する信号とのそれぞれの振幅を監視し、振幅最大値を判定する。また最大値判定部６１は、振幅最大値が現れる信号が第１基地局に関する信号および第２基地局に関する信号のいずれであるかを判定する。そして最大値判定部６１は、これらの判定結果を利得制御部６２−１，６２−２へとそれぞれ通知する。
【００３６】
利得制御部６２−１，６２−２は、最大値判定部６１での判定結果に基づき、最大振幅値が現れる信号が自系であるか否かを判断する。ここで、利得制御部６２−１は第１基地局に関する信号を増幅するための乗算係数を定めるから、第１基地局に関する信号が自系となる。また利得制御部６２−２は第２基地局に関する信号を増幅するための乗算係数を定めるから、第２基地局に関する信号が自系となる。そして利得制御部６２−１，６２−２は、最大振幅値が現れる信号が自系であることを確認した場合には、乗算係数を下記の（１）式により定める。なおここで、Ａは目標振幅値を示し、またＭは最大値判定部６１で判定された最大振幅値を示す。
【００３７】
乗算係数＝Ａ／Ｍ      …（１）
これに対して最大振幅値が現れる信号が自系ではないことを確認した場合に利得制御部６２−１，６２−２は、乗算係数を下記の（２）式により定める。なおここで、ＤＰＣｓはＤＰＣ測定部５６−１，５６−２にて自系に関して求められたＤＰＣを示し、またＤＰＣｍはＤＰＣ測定部５６−１，５６−２にて最大振幅値が現れる系に関して求められたＤＰＣを示す。
【００３８】
乗算係数＝Ａ／Ｍ×ＤＰＣｓ×ＤＰＣｍ      …（２）
かくして、最大振幅値が現れる信号は上記（１）式により定まる乗算係数により最大振幅が目標振幅値となるように増幅される。またそれ最大振幅値が現れるのとは異なる信号は上記（２）式により定まる乗算係数により、上記のように増幅された他方の信号と同一のＤＰＣを持つような信号となるように増幅される。そして合成器５４では、増幅器５３−１，５３−２により増幅された後の各信号がレイク合成される。ここでレイク合成される各信号は上述のようにＤＰＣが同一となっているから、合成器５４でのレイク合成は最大比合成となる。
【００３９】
このように第２実施形態によれば、異なる第１基地局および第２基地局のそれぞれに関する信号を最大比合成となるようにレイク合成することとなり、ダイバーシチ利得を効率的に稼ぐことができる。そしてこの結果、通信品質を効率的に向上することが可能である。
【００４０】
また第２実施形態によると、第１実施形態に比べて構成が若干複雑にはなってしまうが、増幅後の最大振幅値が目標振幅値となるように増幅が行われるから、ダイナミックレンジを有効に利用してＳＮを向上することが可能であり、さらなる通信品質の向上を図ることができる。
【００４１】
（第３の実施形態）
図５は本発明の第３実施形態に係る移動通信端末のブロック図である。なお、図１と同一部分には同一符号を付し、その詳細な説明は省略する。
【００４２】
この図５に示すように第３実施形態の移動通信端末は、アンテナ１、デュプレクサ（ＤＵＰ）２、アナログ復調部３、フィンガ４−１〜４−ｎおよびレイク合成器７を含む。レイク合成器７はさらに、セレクタ５１、合成器５２−１，５２−２、増幅器５３−１，５３−２、合成器５４、セレクタ５５、ＤＰＣ測定部５６−１，５６−２、平均値判定部７１および利得制御部７２−１，７２−２を含む。
【００４３】
すなわち第３実施形態の移動通信端末は、第１実施形態の移動通信端末におけるレイク合成器５に代えてレイク合成器７を設けたものである。レイク合成器７は、レイク合成器５における利得制御部５７−１，５７−２に代えて利得制御部７２−１，７２−２を設けるとともに、さらに加えて平均値判定部７１を設けたものである。
【００４４】
平均値判定部７１へは、増幅器５３−１，５３−２から出力される信号がそれぞれ与えられる。平均値判定部７１は、与えられる２つの信号のそれぞれの振幅を監視し、その平均値を判定する。判定した平均値を利得制御部７２−１，７２−２へとそれぞれ通知する。
【００４５】
利得制御部７２−１，７２−２は、ＤＰＣ測定部５６−１，５６−２から与えられたＤＰＣに加えて平均値判定部７１での判定結果も考慮して、増幅器５３−１，５３−２の利得をそれぞれ決定する。
【００４６】
次に以上のように構成された移動通信端末の動作につき説明する。なお、第２実施形態の移動通信端末の基本的な動作は第１実施形態の移動通信端末と同様であるので、第１実施形態の移動通信端末の動作との相違点を中心として説明する。
【００４７】
平均値判定部７１では、増幅器５３−１から出力される第１基地局に関する信号と増幅器５３−２から出力される第２基地局に関する信号とのそれぞれの振幅の平均値を判定する。そして平均値判定部７１は、この判定した平均値を利得制御部７２−１，７２−２へとそれぞれ通知する。
【００４８】
利得制御部７２−１，７２−２は、ＤＰＣ測定部５６−１，５６−２からそれぞれ与えられるＤＰＣと平均値判定部７１で判定された平均値を考慮して、乗算係数を下記の式により定める。なおここで、Ａは目標振幅値を示し、またＭは平均値判定部７１で判定された平均値を示す。
【００４９】
乗算係数＝Ａ／Ｍ×ＤＰＣ
かくして、各基地局に関する信号の間の平均的な振幅を目標振幅値まで増幅するのに必要な係数を基準値としつつ、これを各信号のＤＰＣを同一にするように補正した値が乗算係数として定められることとなる。従って、このように定まる乗算係数により増幅器５３−１，５３−２にて各信号がそれぞれ増幅されることで、各信号は同一のＤＰＣを持つような信号となる。そして合成器５４では、増幅器５３−１，５３−２により増幅された後の各信号がレイク合成される。ここでレイク合成される各信号は上述のようにＤＰＣが同一となっているから、合成器５４でのレイク合成は最大比合成となる。
【００５０】
このように第３実施形態によれば、異なる第１基地局および第２基地局のそれぞれに関する信号を最大比合成となるようにレイク合成することとなり、ダイバーシチ利得を効率的に稼ぐことができる。そしてこの結果、通信品質を効率的に向上することが可能である。
【００５１】
また第３実施形態によると、第２実施形態に比べるとダイナミックレンジの利用効率が低下してＳＮが低下してしまうが、処理は簡易となる。また実際の信号状態に応じた適応的なレイク合成動作を行うことが可能であるために第１実施形態よりは通信品質の向上を図ることができる。
【００５２】
なお、本発明は前記各実施形態に限定されるものではない。例えば前記各実施形態のいずれも、乗算係数の算定式は増幅後の各信号のＤＰＣを同一とすることが可能であれば任意であって良い。
【００５３】
また前記各実施形態のいずれも、３つ以上の基地局と同時にリンクを張る構成の移動通信端末においても実現が可能である。
【００５４】
また前記各実施形態のいずれも、Ｗ−ＣＤＭＡ方式以外のＣＤＭＡ方式に準拠した移動通信端末においても実現が可能である。
【００５５】
このほか、本発明の要旨を逸脱しない範囲で種々の変形実施が可能である。
【００５６】
【発明の効果】
第１の本発明によれば、複数の逆拡散手段により得られた同一の基地局からの信号をそれぞれ合成して基地局毎の信号を得る。これらの信号を、個別に増幅したのちに合成する。またチャネル推定用チャネルとデータ復調用チャネルとの受信振幅比を基地局毎に測定する。そして各信号を増幅する際の利得を、その信号を送信する基地局に関する受信振幅比に応じて設定することとしたので、異なる基地局からの信号は、それぞれの受信振幅比に基づく利得により個々に増幅されることで受信振幅比が調整された上で合成されることとなり、この結果、チャネル推定用チャネルとデータ復調用チャネルとの振幅比がそれぞれ異なる信号が同時に処理される状況であっても、最大比合成による効率的なレイク合成を行うことで高い通信品質を実現可能となる。
【００５７】
第２の本発明によれば、基地局毎の信号のそれぞれの振幅の最大値およびその最大の振幅を持つ信号を判定し、その最大の振幅を持つ信号を増幅するための利得を上記最大値に応じた利得に設定し、かつそれ以外の信号を増幅するための利得を上記最大値、最大の振幅を持つ信号を送信した基地局に関する受信振幅比および各信号を送信した基地局に関する受信振幅比に応じた利得に設定することとしたので、最大の振幅を持つ信号に対する利得が最大の振幅を考慮して基準的な利得として定められ、それ以外の信号に対する利得は上記の基準的な利得に対して受信振幅比を考慮して相対的に定められることとなり、この結果、最大の振幅を考慮してダイナミックレンジを有効に利用できる利得による効率良く増幅された信号のレイク合成を行うことでさらなる高い通信品質を実現可能となる。
【００５８】
第３の本発明によれば、基地局毎の信号を増幅するための各利得を、基地局毎の信号の間の平均振幅値と、各基地局に関する受信振幅比とを考慮して設定することとしたので、平均振幅値から定まる基準的な利得を各基地局に関する受信振幅比で補正した利得が定められることとなり、この結果、平均振幅値を考慮した実際の信号の状態に応じた利得により適切に増幅された信号のレイク合成を行うことでさらなる高い通信品質を実現可能となる。
【図面の簡単な説明】
【図１】本発明の第１実施形態に係る移動通信端末のブロック図。
【図２】フィンガ４−１〜４−ｎの詳細構成およびフィンガ４−１〜４−ｎとセレクタ５５との接続状態の詳細を示す図。
【図３】基地局毎のＣＰＩＣＨ振幅レベルおよびＤＰＣＨ振幅レベルの相関を示す図。
【図４】本発明の第２実施形態に係る移動通信端末のブロック図。
【図５】本発明の第３実施形態に係る移動通信端末のブロック図。
【符号の説明】
１…アンテナ
２…デュプレクサ（ＤＵＰ）
３…アナログ復調部
４−１〜４−ｎ…フィンガ
５，６，７…レイク合成器
４１…チャネル推定用相関器
４２…共役部
４３…データ復調用相関器
４４…乗算器
５１…セレクタ
５２−１，５２−２…合成器
５３−１，５３−２…増幅器
５４…合成器
５５…セレクタ
５６−１，５６−２…ＤＰＣ測定部
５７−１，５７−２，６２−１，６２−２，７２−１，７２−２…利得制御部
６１…最大値判定部
７１…平均値判定部
【図１】
2004247960.tif 000003
【図２】
2004247960.tif 000004
【図３】
2004247960.tif 000005
【図４】
2004247960.tif 000006
【図５】
2004247960.tif 000007